(57)【特許請求の範囲】
【請求項１】
アクセスネットワークのリソースが変化した場合、アプリケーションネットワークによって、前記アクセスネットワークによって送信されたリソース情報を受信し、ここで、前記リソース情報は、前記アクセスネットワークの現在のリソースステータスを示し、
前記アプリケーションネットワークによって、前記リソース情報に従って、現在のサービスに関連するサービスパラメータを、ＵＥ（ユーザ装置）とネゴシエートし、前記現在のサービスに関連するサービス要求を調節し、前記調節されたサービス要求を、前記アクセスネットワークに送信すること、又は、前記アプリケーションネットワークによって、前記リソース情報に従って、前記現在のサービスに関連する前記サービスパラメータを、前記ＵＥとネゴシエートし、これにより、前記ＵＥが、ネゴシエーションの結果に従って、前記現在のサービスに関連する前記サービスパラメータを修正すること
を含み、
前記アプリケーションネットワークは、ＩＭＳ（ＩＰマルチメディアサブシステム）であり、
前記アプリケーションネットワークによって、前記アクセスネットワークによって送信された前記リソース情報を受信することは、前記ＩＭＳ内のＰ−ＣＳＣＦ（プロキシ呼セッション制御機能）エンティティによって、ＰＣＲＦ（ポリシー及び課金及びルール機能）エンティティによって送信されたリソース情報を受信することを含み、前記リソース情報は、前記アクセスネットワーク内のｅＮＢから前記ＰＣＲＦエンティティによって受信される、
サービス品質を向上させる方法。
【請求項２】
前記アクセスネットワーク内の前記ｅＮＢから前記ＰＣＲＦエンティティによって受信された前記リソース情報は、
前記ｅＮＢによって、前記リソース情報を運ぶメッセージを、ＭＭＥに送信し、前記ＭＭＥによって、前記リソース情報を、Ｐ−ＧＷ（パケットデータネットワークゲートウェイ）に送信し、前記Ｐ−ＧＷによって、前記リソース情報を運ぶＩＰ−ＣＡＮメッセージを、前記ＰＣＲＦエンティティに送信すること、又は、
前記ｅＮＢによって、前記リソース情報を運ぶＲＲＣメッセージを、前記ＵＥに送信し、前記ＵＥによって、前記リソース情報を運ぶベアラリソース修正要求メッセージを、Ｐ−ＧＷに送信し、前記Ｐ−ＧＷによって、前記リソース情報を運ぶＩＰ−ＣＡＮメッセージを、前記ＰＣＲＦエンティティに送信すること、又は、
前記ｅＮＢによって、前記リソース情報を、ＧＴＰ−Ｕ（ユーザプレーン用ＧＰＲＳトンネリングプロトコル）データパケットの拡張ヘッダ内にカプセル化し、前記リソース情報を、ＧＴＰ−Ｕトンネルを介して、Ｐ−ＧＷに送信し、前記Ｐ−ＧＷによって、前記リソース情報を運ぶＩＰ−ＣＡＮメッセージを、前記ＰＣＲＦエンティティに送信すること、又は、
前記ｅＮＢによって、前記リソース情報を、前記リソース情報を運ぶことが可能なＧＴＰ−Ｕメッセージ内にカプセル化し、前記リソース情報を運ぶ前記ＧＴＰ−Ｕメッセージを、ＧＴＰ−Ｕトンネルを介して、Ｐ−ＧＷに送信し、前記Ｐ−ＧＷによって、前記リソース情報を運ぶＩＰ−ＣＡＮメッセージを、前記ＰＣＲＦエンティティに送信すること
により送信される、
請求項１に記載の方法。
【請求項３】
前記ｅＮＢによって、前記リソース情報を運ぶ前記メッセージを、前記ＭＭＥに送信することは、前記ｅＮＢによって、特定のベアラを選択し、前記リソース情報を運ぶ、かつ、前記特定のベアラに関連する、メッセージを、前記ＭＭＥに送信することを含み、
前記ｅＮＢによって、前記リソース情報を運ぶ前記ＲＲＣメッセージを、前記ＵＥに送信することは、前記ｅＮＢによって、特定のベアラを選択し、前記リソース情報を運ぶ、かつ、前記特定のベアラに関連する、前記ＲＲＣメッセージを、前記ＵＥに送信することを含み、
前記ｅＮＢによって、前記リソース情報を、前記ＧＴＰ−Ｕデータパケットの前記拡張ヘッダ内にカプセル化することは、前記ｅＮＢによって、特定のベアラを選択し、前記リソース情報を、前記特定のベアラに関連する、前記ＧＴＰ−Ｕデータパケットの前記拡張ヘッダ内にカプセル化すること含み、
前記ｅＮＢによって、前記リソース情報を、前記リソース情報を運ぶことが可能な前記ＧＴＰ−Ｕメッセージ内にカプセル化することは、前記ｅＮＢによって、特定のベアラを選択し、前記リソース情報を、前記特定のベアラに関連する、かつ、前記リソース情報を運ぶことが可能な、前記ＧＰＴ−Ｕメッセージ内にカプセル化すること含み、
ここで、前記特定のベアラは、保証ビットレートベアラ、又は、前記リソース情報内にないＱｏＳクラス識別子を有するベアラである、
請求項２に記載の方法。
【請求項４】
前記ＭＭＥによって、前記リソース情報を、前記Ｐ−ＧＷに送信することは、
前記ＭＭＥによって、前記リソース情報を運ぶメッセージを、Ｓ−ＧＷに送信し、前記Ｓ−ＧＷによって、前記リソース情報を運ぶメッセージを、前記Ｐ−ＧＷに送信すること、又は、
前記ＭＭＥによって、前記リソース情報を運ぶメッセージを、前記ＵＥに送信し、前記ＵＥによって、前記リソース情報を運ぶベアラリソース修正要求メッセージを、前記ＭＭＥに送信し、前記ＭＭＥによって、前記リソース情報を運ぶベアラリソース修正要求メッセージを、Ｓ−ＧＷに送信し、前記Ｓ−ＧＷによって、前記リソース情報を運ぶベアラリソース修正要求メッセージを、前記Ｐ−ＧＷに送信すること、又は、
前記ＭＭＥによって、前記リソース情報を、ＧＴＰ−Ｃヘッダ内にカプセル化し、前記ＧＴＰ−Ｃヘッダを、ベアラ修正プロセスを介して、Ｓ−ＧＷに送信し、前記Ｓ−ＧＷによって、前記ＧＴＰ−Ｃヘッダを、前記Ｐ−ＧＷに送信すること
を含む、請求項３に記載の方法。
【請求項５】
前記Ｐ−ＧＷによって、前記リソース情報を運ぶ前記ＩＰ−ＣＡＮメッセージを、前記ＰＣＲＦエンティティに送信することは、前記Ｐ−ＧＷによって、前記リソース情報を運ぶ、ＩＰ−ＣＡＮセッション修正メッセージ、又はＩＰ−ＣＡＮセッション通知メッセージを、前記ＰＣＲＦエンティティに送信することを含む、請求項４に記載の方法。
【請求項６】
前記アクセスネットワーク内の前記ｅＮＢから前記ＰＣＲＦエンティティによって受信された前記リソース情報は、前記ＰＣＲＦエンティティによって、前記リソース情報を運ぶ、かつ、Ｄｉａｍｅｔｅｒプロトコルによって規定された、情報要素を、前記Ｐ−ＣＳＣＦエンティティに送信することにより送信される、請求項１〜５のいずれか一項に記載の方法。
【請求項７】
前記調節されたサービス要求を、前記アクセスネットワークに送信することは、前記ＩＭＳ内の前記Ｐ−ＣＳＣＦエンティティによって、前記リソース情報を運ぶ、かつ、Ｄｉａｍｅｔｅｒプロトコルによって規定された、情報要素を、前記ＰＣＲＦエンティティに送信し、前記ＰＣＲＦエンティティによって、前記調節されたサービス要求に従って、ＰＣＣ（ポリシー及び課金制御）ルールを生成し、前記ＰＣＣルールを、前記アクセスネットワーク内の前記Ｐ−ＧＷに送信することを含む、請求項６に記載の方法。
【請求項８】
前記調節されたサービス要求を、前記アクセスネットワークに送信することは、前記ＩＭＳ内の前記Ｐ−ＣＳＣＦエンティティによって、前記調節されたサービス要求を、前記アクセスネットワーク内の前記Ｐ−ＧＷに送信することを含む、請求項７に記載の方法。
【請求項９】
アクセスネットワークのリソースが変化した場合に、リソース情報を送信するように構成された、前記アクセスネットワークであって、前記リソース情報は、前記アクセスネットワークの現在のリソースステータスを示す、前記アクセスネットワークと、
前記リソース情報に従って、現在のサービスに関連するサービスパラメータを、ＵＥ（ユーザ装置）とネゴシエートし、前記現在のサービスに関連するサービス要求を調節し、前記調節されたサービス要求を、前記アクセスネットワークに送信するように、又は、前記リソース情報に従って、前記現在のサービスに関連する前記サービスパラメータを、前記ＵＥとネゴシエートし、これにより、前記ＵＥが、ネゴシエーションの結果に従って、前記現在のサービスに関連する前記サービスパラメータを修正するように構成された、アプリケーションネットワークと
を備え、
前記アプリケーションネットワークは、ＩＭＳ（ＩＰマルチメディアサブシステム）であり、前記ＩＭＳは、Ｐ−ＣＳＣＦ（プロキシ呼セッション制御機能）エンティティを含み、前記アクセスネットワークは、ｅＮＢを含み、前記ｅＮＢは、前記リソース情報を、前記Ｐ−ＣＳＣＦエンティティに送信するように構成される、
サービス品質を向上させるシステム。
【請求項１０】
前記アプリケーションネットワーク、及び前記アクセスネットワークのそれぞれに接続された、ＰＣＲＦ（ポリシー及び課金ルール機能）エンティティを更に備え、
前記アプリケーションネットワークは、ＩＭＳであり、ここで、前記ＩＭＳは、Ｐ−ＣＳＣＦエンティティを含み、前記アクセスネットワークは、ｅＮＢを含み、
前記ｅＮＢは、前記リソース情報を、前記ＰＣＲＦエンティティに送信するように構成され、
前記ＰＣＲＦエンティティは、前記リソース情報を、前記Ｐ−ＣＳＣＦエンティティに送信するように構成される、
請求項９に記載のシステム。
【請求項１１】
前記アプリケーションネットワーク、及び前記アクセスネットワークのそれぞれに接続された、ＰＣＲＦ（ポリシー及び課金ルール機能）エンティティを更に備え、
前記ｅＮＢは、前記リソース情報を、前記ＰＣＲＦエンティティに送信するように構成され、
前記ＰＣＲＦエンティティは、前記リソース情報を、前記Ｐ−ＣＳＣＦエンティティに送信するように構成される、
請求項１０に記載のシステム。
【請求項１２】
前記ＰＣＲＦエンティティは、前記Ｐ−ＣＳＣＦエンティティによって送信された前記サービス要求に従って、ＰＣＣ（ポリシー及び課金制御）ルールを生成し、前記ＰＣＣルールを、前記アクセスネットワーク内のＰ−ＧＷ（パケットデータネットワークゲートウェイ）に送信するように更に構成される、請求項１０又は１１に記載のシステム。
【発明の詳細な説明】
【技術分野】
【０００１】
本出願は、２００９年６月２６日に中国専利局に出願された、「ＭＥＴＨＯＤ，ＳＹＳＴＥＭ，ＡＮＤ  ＡＰＰＬＩＣＡＴＩＯＮ  ＮＥＴＷＯＲＫ  ＥＬＥＭＥＮＴ  ＦＯＲ  ＩＭＰＲＯＶＩＮＧ  ＱＵＡＬＩＴＹ  ＯＦ  ＳＥＲＶＩＣＥ（サービス品質を向上させる方法、システム、及びアプリケーションネットワーク要素）と題された、中国特許出願第２００９１００８８３６５．３号の優先権を主張するものであり、当該出願はその全体が参照によって本明細書中に援用される。
【０００２】
本発明は、通信技術に関し、特に、サービス品質を向上させる方法、システム、及びアプリケーションネットワーク要素に関する。
【背景技術】
【０００３】
通信ネットワークにおいて、アクセスネットワークは、ユーザ装置（ＵＥと略記される）のサービスデータを送信するように構成され、アプリケーションネットワークは、サービスデータの処理を制御するように、すなわち、ＵＥにサービスを提供するように構成される。
【０００４】
従来技術では、アクセスネットワークにリソースを割り当てるステップは、ＵＥが、デフォルトベアラを作成することによって、ＩＰアドレスを取得し、パブリックデータネットワーク（ＰＤＮと略記される）接続をセットアップするステップと、ＵＥが、サービスによって必要とされるリソース（サービス品質（ＱｏＳと略記される）、コーデックなど）を、アプリケーションネットワークとネゴシエートするステップと、アプリケーションネットワークが、サービス要求を形成し、サービス要求を、ポリシー課金及びルール機能（ＰＣＲＦと略記される）エンティティに送信するステップと、ＰＣＲＦエンティティが、サービス要求に従って、ポリシー課金制御（ＰＣＣと略記される）ルールを作成するステップと、ＰＣＲＦエンティティが、ＰＣＣルールを、パケットデータネットワークゲートウェイ（Ｐ−ＧＷと略記される）に配信するステップと、Ｐ−ＧＷが、ＰＣＣルールに従って、サービスによって必要とされる、専用のサービスベアラをセットアップするステップと、ＵＥが、セットアップされた専用のサービスベアラを介して、サービスデータを、遠隔端末（別のＵＥなど）と交換するステップとを含む。
【発明の概要】
【発明が解決しようとする課題】
【０００５】
従来技術における、サービスベアラをセットアップする方法は、以下の問題を有する。上記のステップを介して、ＵＥがサービスデータを交換するためのベアラがセットアップされ、ＵＥがサービスデータを交換するプロセスの間に、アクセスネットワークのリソースが変化した場合（例えば、アクセスネットワークが輻輳した場合）、以前にセットアップされたサービスベアラは、変化したアクセスネットワークリソースに適合せず、以前に形成されたサービス要求も、変化したアクセスネットワークリソースに適合せず、結果として、サービスのＱｏＳが劣化し、更にはサービスの中断が発生する。
【課題を解決するための手段】
【０００６】
従来技術において存在する問題に鑑みて、本発明の実施形態は、ＱｏＳを向上させる方法、システム、及びアプリケーションネットワーク要素を提供し、これにより、現在のサービスに関連するサービスパラメータ又はサービス要求が、変化したアクセスネットワークリソースに適合し、その結果、ＱｏＳが向上する。
【０００７】
本発明の一実施形態は、
アクセスネットワークのリソースが変化した場合、アプリケーションネットワークによって、アクセスネットワークによって送信されたリソース情報を受信し、ここで、リソース情報は、アクセスネットワークの現在のリソースステータスを示す情報であり、
アプリケーションネットワークによって、リソース情報に従って、現在のサービスに関連するサービス要求を調節し、調節されたサービス要求を、アクセスネットワークに送信すること、又は、アプリケーションネットワークによって、リソース情報に従って、現在のサービスに関連するサービスパラメータを、ＵＥとネゴシエートし、これにより、ＵＥが、ネゴシエーションの結果に従って、現在のサービスに関連するサービスパラメータを修正すること
を含む、ＱｏＳを向上させる方法を提供する。
【０００８】
本発明の一実施形態は、
アクセスネットワークのリソースが変化した場合に、リソース情報を送信するように構成された、アクセスネットワークであって、リソース情報は、アクセスネットワークの現在のリソースステータスを示す情報である、アクセスネットワークと、
リソース情報を受信し、リソース情報に従って、現在のサービスに関連するサービス要求を調節し、調節されたサービス要求を、アクセスネットワークに送信するように、又は、リソース情報に従って、現在のサービスに関連するサービスパラメータを、ＵＥとネゴシエートし、これにより、ＵＥが、ネゴシエーションの結果に従って、現在のサービスに関連するサービスパラメータを修正するように構成された、アプリケーションネットワークと
を含む、ＱｏＳを向上させるシステムを提供する。
【０００９】
本発明の一実施形態は、
アクセスネットワークによって送信されたリソース情報を受信するように構成された、受信ユニットであって、リソース情報は、アクセスネットワークの現在のリソースステータスを示す情報である、受信ユニットと、
受信ユニットに接続され、受信ユニットによって受信されたリソース情報に従って、現在のサービスに関連するサービス要求を調節し、調節されたサービス要求を、アクセスネットワークに送信するように構成された、又は、受信ユニットによって受信されたリソース情報に従って、現在のサービスに関連するサービスパラメータを、ＵＥとネゴシエートし、これにより、ＵＥが、ネゴシエーションの結果に従って、現在のサービスに関連するサービスパラメータを修正するように構成された、処理ユニットと
を含む、アプリケーションネットワーク要素を更に提供する。
【図面の簡単な説明】
【００１０】
【図１】本発明の第１の実施形態による、ＱｏＳを向上させる方法のフローチャートである。
【図２】本発明の一実施形態に関係するＥＰＳの概略構成図である。
【図３】本発明の第２の実施形態による、ＱｏＳを向上させる方法のシグナリング相互作用図である。
【図４】本発明の第３の実施形態による、ＱｏＳを向上させる方法のシグナリング相互作用図である。
【図５】本発明の第４の実施形態による、ＱｏＳを向上させる方法のシグナリング相互作用図である。
【図６】本発明の第５の実施形態による、ＱｏＳを向上させる方法のシグナリング相互作用図である。
【図７】本発明の第６の実施形態による、ＱｏＳを向上させる方法のシグナリング相互作用図である。
【図８】本発明の第７の実施形態による、ＱｏＳを向上させる方法のシグナリング相互作用図である。
【図９】本発明の第８の実施形態による、ＱｏＳを向上させる方法のシグナリング相互作用図である。
【図１０】本発明の第９の実施形態による、ＱｏＳを向上させる方法のシグナリング相互作用図である。
【図１１】本発明の実施形態による、ＱｏＳを向上させるシステムの概略構成図である。
【図１２】本発明の実施形態によるアプリケーションネットワーク要素の概略構成図である。
【発明を実施するための形態】
【００１１】
図１は、本発明の第１の実施形態による、ＱｏＳを向上させる方法のフローチャートであり、以下を含む。
【００１２】
ステップ１０１：アクセスネットワークのリソースが変化した場合、アプリケーションネットワークは、アクセスネットワークによって送信されたリソース情報を受信する。ここで、リソース情報は、アクセスネットワークの現在のリソースステータスを示す情報である。
【００１３】
ステップ１０２：アプリケーションネットワークは、リソース情報に従って、現在のサービスに関連するサービス要求を調節し、調節されたサービス要求を、アクセスネットワークに送信する、又は、アプリケーションネットワークは、リソース情報に従って、現在のサービスに関連するサービスパラメータを、ＵＥとネゴシエートし、これにより、ＵＥは、ネゴシエーションの結果に従って、現在のサービスに関連するサービスパラメータを修正する。
【００１４】
ステップ１０２において、アプリケーションネットワークによって、リソース情報に従って、現在のサービスに関連するサービス要求を調節することは、アプリケーションネットワークによって、リソース情報に従って、現在のサービスに関連するサービスパラメータを、ＵＥとネゴシエートし、現在のサービスに関連するサービス要求を調節することを含んでもよい。
【００１５】
ステップ１０２の後、アクセスネットワークは、調節されたサービス要求に従って、現在のサービスベアラを修正してもよく、又は、サービスベアラを再セットアップしてもよい。
【００１６】
本発明の実施形態において、サービス要求は、現在のサービスに関連する様々なパラメータについての要求（例えば、現在のサービスに関連する、コーデックのタイプ、ベアラ要求、及びアクセスネットワークパラメータ要求のうちの少なくとも１つ）である。
【００１７】
リソース情報は、アクセスネットワークの現在のリソースステータスを示す情報である。リソース情報は、輻輳指示、ユーザ数、ＣＰＵ使用率、残りの帯域幅、受け入れ可能なコーデック、サポート可能なサービス要求（ＱｏＳクラス識別子（ＱＣＩと略記される）など）、及び新たな帯域幅の提案、のうちの少なくとも１つであってもよい。リソース情報の表現は、特定の数、又は特定の識別子であってもよい。例えば、現在、アクセスネットワークが輻輳状態にあることを示すために、１つの識別子が使用されてもよく、アクセスネットワークの現在のＣＰＵ使用率を示すために、特定の数が使用されてもよい。
【００１８】
本発明の実施形態で提供される方法によれば、アクセスネットワークのリソースが変化した場合、アクセスネットワークは、アクセスネットワークのリソース情報を、アプリケーションネットワークに送信し、アプリケーションネットワークは、リソース情報に従って、現在のサービスに関連するサービス要求を調節し、調節されたサービス要求を、アクセスネットワークに送信する、又は、アプリケーションネットワークは、リソース情報に従って、現在のサービスパラメータを、ＵＥとネゴシエートし、これにより、ＵＥは、ネゴシエーションの結果に従って、現在のサービスに関連するパラメータを修正する。このようにして、現在のサービスに関連する、サービスパラメータ、又はサービス要求は、変化したアクセスネットワークリソースに適合し、ＱｏＳが向上する。
【００１９】
アクセスネットワークの機能を実施することが可能な、複数のタイプのネットワークが存在し、そして、アプリケーションネットワークの機能を実施することが可能な、複数のタイプのネットワークも存在する。図２は、本発明の一実施形態に関係する発展型パケットシステム（ＥＰＳと略記される）の概略構成図である。このシステムは、アクセスネットワーク１と、ＰＣＲＦエンティティ３と、アプリケーションネットワーク２とを含む。アクセスネットワーク１は、発展型ＵＭＴＳ地上無線アクセスネットワーク（Ｅ−ＵＴＲＡＮと略記される）１１と、モビリティ管理エンティティ（ＭＭＥと略記される）１２と、サービングゲートウェイ（Ｓ−ＧＷと略記される）１３と、パケットデータネットワークゲートウェイ（Ｐ−ＧＷと略記される）１４と、ホーム加入者サーバ（ＨＳＳと略記される）１５と、ＵＭＴＳ地上無線アクセスネットワーク（ＵＴＲＡＮと略記される）と、ＧＳＭ（登録商標）／ＥＤＧＥ無線アクセスネットワーク（ＧＥＲＡＮと略記される）１７と、サービスＧＰＲＳサポートノード（ＳＧＳＮと略記される）１８とを含む。
【００２０】
Ｅ−ＵＴＲＡＮ１１、ＵＴＲＡＮ１６、及びＧＥＲＡＮ１７は、全ての無線関連機能を実施することが可能である。Ｅ−ＵＴＲＡＮ１１は、発展型ノードＢ（ｅＮＢと略記される）を含んでもよく、又は、ホームｅＮＢと、ホームノードＢゲートウェイとを含んでもよい。ｅＮＢは、ＵＥと通信してもよい。
【００２１】
ＭＭＥ１２、及びＳＧＳＮ１８は、ユーザコンテキスト及びモビリティ状態の管理と、仮のユーザ識別情報を割り当てることとを含む、制御プレーンのモビリティ管理に関与する。
【００２２】
Ｓ−ＧＷ１３は、３ＧＰＰ内の様々なアクセスネットワーク間のユーザプレーンアンカーポイントであり、かつ、３ＧＰＰ内の様々なアクセスネットワークをスクリーニングするためのインタフェースである。
【００２３】
Ｐ−ＧＷ１４は、３ＧＰＰアクセスネットワークと、非アクセスネットワークとの間のユーザプレーンアンカーポイントであり、かつ、外部パケットデータネットワークとのインタフェースである。
【００２４】
ＨＳＳ１５は、ユーザの加入情報を記憶する。
【００２５】
アプリケーションネットワークは、サービス及びアプリケーションを、ユーザに提供する。図２において、アプリケーションネットワークは、ＩＰマルチメディアサブシステム（ＩＭＳと略記される）であってもよい。ＩＭＳは、パケット音声、及びパケットデータを実施することが可能な、かつ、均一なマルチメディアサービス及びアプリケーションを提供することが可能な、ネットワークである。ＩＭＳは、ＩＰパケットドメインを、制御シグナリング、及びメディア伝送のための、ベアラチャネルとして使用する。制御シグナリングは、セッション開始プロトコル（ＳＩＰと略記される）に基づく呼制御シグナリングである。
【００２６】
ＱｏＳ、及びフローベースの課金の問題を解決するために、ＰＣＣアーキテクチャは、ネットワークが、様々なサービスフローを検知し、サービスフローのためのＱｏＳ制御及び課金処理を実施することを可能にしてもよい。
【００２７】
ＰＣＣアーキテクチャは、ＰＣＲＦエンティティと、ポリシー及び課金実施機能（ＰＣＥＦと略記される）エンティティと、加入プロファイルリポジトリ（ＳＰＲと略記される）と、アプリケーション機能（ＡＦと略記される）エンティティと、オフライン課金システム（ＯＣＳと略記される）と、オンライン課金システム（ＯＣＳと略記される）とを主として含む。
【００２８】
ＰＣＲＦエンティティは、アクセスネットワークの制約と、事業者のポリシーと、加入プロファイルと、（ＡＦエンティティから取得された）ユーザの進行中のサービスの情報とに従って、対応するＰＣＣルールを決定し、ＰＣＣルールを、ＰＣＥＦエンティティに提供する。ＰＣＥＦエンティティは、ＰＣＣルールを実施する。ＰＣＣルールは、サービスデータフロー（音声のＩＰフローセットなど）を検知するためのルールと、ゲートするかどうかと、サービスデータフローに対応するＱｏＳと、フローベースの課金ルールとを含む。
【００２９】
ＰＣＥＦエンティティは、ＰＣＲＦエンティティによって配信された、又は指示された、ＰＣＣルールを実施する。具体的には、ＰＣＥＦエンティティは、サービスデータフローの検知及び測定を実行し、サービスデータフローのＱｏＳを保証し、ユーザプレーンのトラフィックを処理し、制御プレーンのセッション管理をトリガする。ＰＣＲＦエンティティは、ＡＦエンティティのアプリケーションレイヤのセッション情報に従って、対応するＰＣＣルールを動的に生成又は修正する。ＰＣＥＦエンティティは、ゲートウェイ内に置かれてもよい。
【００３０】
ＰＣＣルールをＰＣＥＦエンティティに送信することに加えて、ＰＣＲＦエンティティは、更に、ＰＣＥＦエンティティに、特定のイベント（例えば、ＩＰ−ＣＡＮベアラが接続を失った、又は回復した、及び、ゲートウェイが障害状態にある）を検出することを要求してもよい。対応するイベントの発生を検出した場合、ＰＣＥＦエンティティは、イベントを、ＰＣＲＦエンティティに報告し、ＰＣＲＦエンティティは、報告されたイベントに従って、ＰＣＣルールを決定し直す。
【００３１】
図２に示すネットワーク構成において、Ｐ−ＧＷは、ＰＣＥＦエンティティの機能を実施し、ＩＭＳ内のプロキシ呼セッション制御機能（Ｐ−ＣＳＣＦと略記される）エンティティは、ＡＦの機能を実施する。Ｐ−ＧＷ、ＰＣＲＦエンティティ、及びＰ−ＣＳＣＦは、ＰＣＣアーキテクチャを形成する。
【００３２】
本発明の実施形態の特定の実施プロセスについて、図２に示すネットワーク構成を参照して、以下に説明する。
【００３３】
ステップ１０１において、アクセスネットワーク内のｅＮＢは、リソース情報を、ＩＭＳ内のＰ−ＣＳＣＦエンティティに送信してもよい。具体的には、ｅＮＢは、リソース情報を、ＵＥに送信し、ＵＥは、リソース情報を運ぶメッセージを、ＩＭＳ内のＰ−ＣＳＣＦに送信する。
【００３４】
図３は、本発明の第２の実施形態による、ＱｏＳを向上させる方法のシグナリング相互作用図であり、以下を含む。
【００３５】
ステップ２０１：アクセスネットワークのリソースが変化した場合、ｅＮＢは、リソース情報を運ぶＳ１−ＡＰメッセージを、ＭＭＥに送信する（例えば、ｅＮＢは、過負荷メッセージ（ＯＶＥＲＬＯＡＤ）を、ＭＭＥに送信する）。
【００３６】
ステップ２０２：ｅＮＢによって送信されたＯＶＥＲＬＯＡＤを受信した後、ＭＭＥは、リソース情報を運ぶメッセージを、ＵＥに送信する（例えば、ＥＰＳベアラコンテキスト修正要求を、ＵＥに送信する）。ｅＮＢによって送信されたＯＶＥＲＬＯＡＤを受信した後、ＭＭＥは、リソース情報を取得し、リソース情報の内容（例えば、リソース情報は、サポート可能なＱＣＩである）に従って、ＭＭＥは、ｅＮＢ上でセットアップされた全てのベアラを選択してもよく、又は、リソース情報内のサポート可能なＱＣＩ以外のＱＣＩを有するベアラを選択してもよく、そして、リソース情報を運ぶ、かつ、特定のベアラに関連する、メッセージを、ＵＥに送信してもよい。あるいは、ＭＭＥは、保証ビットレート（Ｇｕａｒａｎｔｅｅｄ  Ｂｉｔ  Ｒａｔｅ）を保証するベアラを選択してもよい。ＭＭＥによってＵＥに送信されるＥＰＳベアラコンテキスト修正要求は、ＧＢＲベアラに固有の修正要求である。特定のベアラを選択することによって、影響を受けるベアラを正確に示し、ネットワーク内の制御シグナリングの相互作用を減らすことが可能である。
【００３７】
ステップ２０２が終了した後、ＵＥは、ｅＮＢに、ＥＰＳベアラコンテキスト修正応答を送信してもよい。
【００３８】
ステップ２０３：ＥＰＳベアラコンテキスト修正要求（Ｍｏｄｉｆｙ  ＥＰＳ  Ｂｅａｒｅｒ  Ｃｏｎｔｅｘｔ  Ｒｅｓｐｏｎｓｅ）を受信した後、ＵＥは、リソース情報を取得し、リソース情報を運ぶメッセージを、ＩＭＳ内のＰ−ＣＳＣＦエンティティに送信する（例えば、ＵＥは、ＳＩＰシグナリングを、Ｐ−ＣＳＣＦに送信する）。
【００３９】
ステップ２０４：Ｐ−ＣＳＣＦエンティティは、受信されたメッセージ内のリソース情報に従って、現在のサービスに関連するサービスパラメータを、ＵＥとネゴシエートし、これにより、ＵＥは、ネゴシエーションの結果に従って、現在のサービスに関連するパラメータを修正することが可能である。例えば、現在のサービスはビデオサービスであり、そして、アクセスネットワークリソースが輻輳状態にある場合、Ｐ−ＣＳＣＦエンティティは、符号化方式を、ＵＥとネゴシエートして、ＵＥによってサポートされる、かつ、アクセスネットワークの現在の輻輳状態を効果的に緩和することが可能な、符号化方式を選択してもよい。ＵＥは、ネゴシエーションの結果に従って、符号化方式を修正してもよい。
【００４０】
ステップ２０５：Ｐ−ＣＳＣＦエンティティは、受信されたメッセージ内のリソース情報に従って、現在のサービスに関連するサービス要求を調節し（例えば、現在のサービスに関連する、帯域幅要求と、符号化要求とを調節し）、調節されたサービス要求を、アクセスネットワーク内のＰ−ＧＷに送信する。
【００４１】
ステップ２０６：Ｐ−ＧＷは、調節されたサービス要求に従って、現在のサービスベアラを修正する、又は、サービスベアラを再セットアップする。
【００４２】
第２の実施形態において、ステップ２０４が実行された後、ステップ２０５及び２０６は、実行されなくてもよい。Ｐ−ＣＳＣＦエンティティがＵＥとネゴシエートする、ステップ２０４を介して、ＵＥは、ＱｏＳを向上させるために、現在のサービスに関連するパラメータを、アクセスネットワークの変化したリソースに適合するように修正することが可能である。
【００４３】
第２の実施形態において、ステップ２０３が実行された後、ステップ２０４は、実行されなくてもよい。しかし、ステップ２０５及び２０６は、順次実行され、これらのステップにおいて、Ｐ−ＣＳＣＦエンティティは、リソース情報に従って、サービス要求を調節し、これにより、アクセスネットワークは、調節されたサービス要求に従って、現在のサービスベアラを修正すること、又は、サービスベアラを再セットアップすることが可能である。その結果、ＱｏＳが向上する。
【００４４】
第２の実施形態において、ステップ２０３が実行された後、ステップ２０４、２０５、及び２０６は、順次実行されてもよい。これにより、アクセスネットワークは、調節されたサービス要求に従って、現在のサービスベアラを修正すること、又は、サービスベアラを再セットアップすることが可能であり、その結果、ＱｏＳが向上する。
【００４５】
第２の実施形態において、ステップ２０２で、ＭＭＥは、ベアラを選択しなくてもよく、代わりに、ベアラを選択するステップは、ｅＮＢによって実行される。具体的には、ステップ２０１で、ｅＮＢは、特定のベアラを選択し、特定のベアラに関連するメッセージ内で運ばれるリソース情報を、ＭＭＥに送信する。次に、ステップ２０２〜２０６が実行される。特定のベアラを選択することによって、影響を受けるベアラを正確に示し、ネットワーク内の制御シグナリングの相互作用を減らすことが可能である。
【００４６】
図４は、本発明の第３の実施形態による、ＱｏＳを向上させる方法のシグナリング相互作用図であり、以下を含む。
【００４７】
ステップ３０１：ｅＮＢは、リソース情報を運ぶＲＲＣメッセージを、ＵＥに送信する。ここで、ＲＲＣメッセージは、無線ベアラセットアップメッセージであってもよい。
【００４８】
ステップ３０２〜３０５は、ステップ２０３〜２０６と同じである。
【００４９】
図１に示す実施形態において、ステップ１０１で、アクセスネットワーク内のｅＮＢは、リソース情報を、ＰＣＲＦエンティティに送信してもよく、次に、ＰＣＲＦエンティティは、リソース情報を、ＩＭＳ内のＰ−ＣＳＣＦエンティティに送信する。ｅＮＢによって、リソース情報を、ＰＣＲＦエンティティに送信することは、ｅＮＢが、リソース情報を運ぶメッセージを、ＭＭＥに送信し、ＭＭＥが、リソース情報を、Ｐ−ＧＷに送信し、Ｐ−ＧＷが、リソース情報を運ぶＩＰ−ＣＡＮメッセージを、ＰＣＲＦエンティティに送信することであってもよい。
【００５０】
Ｐ−ＧＷによって、リソース情報を運ぶＩＰ−ＣＡＮメッセージを、ＰＣＲＦエンティティに送信することは、Ｐ−ＧＷが、リソース情報を運ぶ、ＩＰ−ＣＡＮセッション修正メッセージ、又は、ＩＰ−ＣＡＮセッション通知メッセージを送信することであってもよい。以下の実施形態では、ＩＰ−ＣＡＮセッション修正メッセージを例として使用して説明する。
【００５１】
ＭＭＥは、以下の方法で、リソース情報を、Ｐ−ＧＷに送信してもよい。（１）ＭＭＥは、リソース情報を運ぶメッセージを、Ｓ−ＧＷに送信し、Ｓ−ＧＷは、リソース情報を運ぶメッセージを、Ｐ−ＧＷに送信する。（２）ＭＭＥは、リソース情報を運ぶメッセージを、ＵＥに送信し、ＵＥは、リソース情報を運ぶベアラリソース修正要求（Ｒｅｑｕｅｓｔ  Ｂｅａｒｅｒ  Ｒｅｓｏｕｒｃｅ  Ｍｏｄｉｆｉｃａｔｉｏｎ）メッセージを、ＭＭＥに送信し、ＭＭＥは、リソース情報を運ぶベアラリソース修正要求メッセージを、Ｓ−ＧＷに送信し、Ｓ−ＧＷは、リソース情報を運ぶベアラリソース修正要求メッセージを、Ｐ−ＧＷに送信する。（３）ＭＭＥは、リソース情報を、ＧＴＰ−Ｃヘッダ内にカプセル化し、ベアラ修正プロセスを介して、ＧＴＰ−Ｃヘッダを、Ｓ−ＧＷに送信し、Ｓ−ＧＷは、ＧＴＰ−Ｃヘッダを、Ｐ−ＧＷに送信する。
【００５２】
（１）ＭＭＥは、リソース情報を運ぶメッセージを、Ｓ−ＧＷに送信し、Ｓ−ＧＷは、リソース情報を運ぶメッセージを、Ｐ−ＧＷに送信する。
【００５３】
図５は、本発明の第４の実施形態による、ＱｏＳを向上させる方法のシグナリング相互作用図であり、以下を含む。
【００５４】
ステップ４０１：ｅＮＢは、リソース情報を運ぶＯＶＥＲＬＯＡＤを、ＭＭＥに送信する。具体的には、ｅＮＢは、特定のベアラを選択し、そして、リソース情報を運ぶ、かつ、特定のベアラに関連する、ＯＶＥＲＬＯＡＤを、ＭＭＥに送信してもよい。
【００５５】
ステップ４０２：ＭＭＥは、リソース情報を運ぶメッセージを、Ｓ−ＧＷに送信する。例えば、ＭＭＥは、ベアラ更新要求を、Ｓ−ＧＷに送信する。ステップ４０１で、ｅＮＢは、特定のベアラを選択しなくてもよく、代わりに、特定のベアラは、ＭＭＥによって選択される。具体的には、ＭＭＥは、特定のベアラを選択し、そして、リソース情報を運ぶ、かつ、特定のベアラに関連する、ベアラ更新要求を、Ｓ−ＧＷに送信してもよい。
【００５６】
ステップ４０３：Ｓ−ＧＷは、リソース情報を運ぶベアラ更新要求を、Ｐ−ＧＷに送信する。
【００５７】
ステップ４０４：ベアラ更新要求を受信した後、Ｐ−ＧＷは、リソース情報を運ぶＩＰ−ＣＡＮセッション修正メッセージを、ＰＣＲＦエンティティに送信する。場合によっては、ベアラ更新要求を受信した後、Ｐ−ＧＷは、その中のリソース情報に関する判定を行って、繰り返されたリソース情報であるかどうかを判断してもよく、繰り返されたリソース情報である場合、Ｐ−ＧＷは、ＰＣＲＦエンティティに送信しなくてもよく、繰り返されたリソース情報ではない場合、Ｐ−ＧＷは、ＩＰ−ＣＡＮセッション修正メッセージを介して、リソース情報を、ＰＣＲＦエンティティに送信する。あるいは、ベアラ更新要求を受信した後、Ｐ−ＧＷは、その中のリソース情報の優先度に従って、リソース情報がＰＣＲＦエンティティに送信される必要があるかどうかを判断してもよい。例えば、保証ビットレートの要求に従って、ビットレートを十分に保証することが可能なリソース情報の優先度は、低く設定され、ビットレートを十分に保証することが可能ではないリソース情報の優先度は、高く設定される。低い優先度のリソース情報に関しては、Ｐ−ＧＷは、リソース情報を、ＰＣＲＦエンティティに送信しなくてもよく、高い優先度のリソース情報に関しては、Ｐ−ＧＷは、リソース情報を、ＰＣＲＦに送信してもよい。あるいは、ベアラ更新要求を受信した後、Ｐ−ＧＷは、その中のリソース情報が、現在のＰＣＣルールに適合するかどうかを判断してもよく、適合する場合、リソース情報は破棄され、適合しない場合、リソース情報は、ＰＣＲＦエンティティに送信される。
【００５８】
ステップ４０５：ＰＣＲＦエンティティは、リソース情報の一部（例えば、コーデック又は帯域幅に関連する情報）を選択し、選択されたリソース情報を、Ｐ−ＣＳＣＦエンティティに送信する（例えば、ＰＣＲＦは、選択されたリソース情報を、Ｄｉａｍｅｔｅｒプロトコルによって規定された情報要素内にカプセル化し、Ｄｉａｍｅｔｅｒプロトコルによって規定された情報要素を、Ｐ−ＣＳＣＦエンティティに送信する）。
【００５９】
ステップ４０６：Ｐ−ＣＳＣＦエンティティは、受信されたメッセージ内のリソース情報に従って、現在のサービスに関連するサービスパラメータについて、ＵＥとネゴシエートする。例えば、現在のサービスはビデオサービスであり、そして、アクセスネットワークリソースが輻輳状態にある場合、Ｐ−ＣＳＣＦエンティティは、符号化方式を、ＵＥとネゴシエートして、ＵＥによってサポートされる、かつ、アクセスネットワークの現在の輻輳状態を効果的に緩和することが可能な、符号化方式を選択してもよい。
【００６０】
ステップ４０７：Ｐ−ＣＳＣＦエンティティは、受信されたメッセージ内のリソース情報に従って、現在のサービスに関連するサービス要求を調節する。例えば、Ｐ−ＣＳＣＦエンティティは、現在のサービスに関連する、帯域幅要求と、符号化要求とを調節し、調節されたサービス要求を、アクセスネットワーク内のＰ−ＧＷに送信する。具体的には、調節されたサービス要求は、Ｄｉａｍｅｔｅｒプロトコルによって規定された情報要素を介して、ＰＣＲＦエンティティに送信されてもよく、ＰＣＲＦエンティティは、調節されたサービス要求に従って、ＰＣＣルールを生成し、ＰＣＣルールを、Ｐ−ＧＷに送信する。
【００６１】
ステップ４０８：Ｐ−ＧＷは、調節されたサービス要求に従って、現在のサービスベアラを修正する、又は、サービスベアラを再セットアップする。
【００６２】
第４の実施形態において、ステップ４０６が実行された後、ステップ４０７及び４０８は、実行されなくてもよい。Ｐ−ＣＳＣＦエンティティがＵＥとネゴシエートする、ステップ４０６を介して、ＵＥは、ＱｏＳを向上させるために、現在のサービスに関連するパラメータを、アクセスネットワークの変化したリソースに適合するように修正することが可能である。
【００６３】
第４の実施形態において、ステップ４０５が実行された後、ステップ４０６は、実行されなくてもよい。しかし、ステップ４０７及び４０８は、順次実行され、これらのステップにおいて、Ｐ−ＣＳＣＦエンティティは、リソース情報に従って、サービス要求を調節し、これにより、アクセスネットワークは、調節されたサービス要求に従って、現在のサービスベアラを修正すること、又は、サービスベアラを再セットアップすることが可能であり、その結果、ＱｏＳが向上する。
【００６４】
第４の実施形態において、ステップ４０５が実行された後、ステップ４０６、４０７、及び４０８は、順次実行されてもよい。これにより、アクセスネットワークは、調節されたサービス要求に従って、現在のサービスベアラを修正すること、又は、サービスベアラを再セットアップすることが可能であり、その結果、ＱｏＳが向上する。
【００６５】
図５に示す実施形態において、ｅＮＢは、ステップ４０１〜４０４を介して、リソース情報を、ＰＣＲＦエンティティに送信する。ステップ４０３及び４０４で、リソース情報は、ベアラ更新要求内で運ばれるだけでなく、他のメッセージ内で運ばれてもよい。例えば、制御プレーン用ＧＰＲＳトンネリングプロトコル（ＧＴＰ−Ｃと略記される）のメッセージのタイプが追加されてもよく、リソース情報は、追加されたメッセージ内で運ばれる。表１に、本発明の実施形態に関係するＧＴＰ−Ｃメッセージのタイプを示す。
【表１】
0005490887.tif 000002
【００６６】
表１において、メッセージタイプ値１７２〜１７５の間に、リソース情報を運ぶことが可能な、ＭＭＥからＳＧＷに送信される新たなタイプのメッセージが追加されてもよい。例えば、新たなＯＶＥＲＬＯＡＤが追加されてもよい。メッセージタイプ値１０３〜１２７の間に、リソース情報を運ぶことが可能な、ＳＧＷからＰＧＷに送信される新たなタイプのメッセージが追加されてもよい。
【００６７】
（２）ＭＭＥは、リソース情報を運ぶメッセージを、ＵＥに送信し、ＵＥは、リソース情報を運ぶベアラリソース修正要求メッセージを、ＭＭＥに送信し、ＭＭＥは、運ぶベアラリソース修正要求メッセージを、Ｓ−ＧＷに送信し、Ｓ−ＧＷは、運ぶベアラリソース修正要求メッセージを、Ｐ−ＧＷに送信する。
【００６８】
図６は、本発明の第５の実施形態による、ＱｏＳを向上させる方法のシグナリング相互作用図であり、以下を含む。
【００６９】
ステップ５０１：ｅＮＢは、リソース情報を運ぶＯＶＥＲＬＯＡＤを、ＭＭＥに送信する。具体的には、ｅＮＢは、特定のベアラを選択し、そして、特定のベアラに関連し、かつ、リソース情報を運ぶ、ＯＶＥＲＬＯＡＤを、ＭＭＥに送信してもよい。
【００７０】
ステップ５０２：ｅＮＢによって送信されたＯＶＥＲＬＯＡＤを受信した後、ＭＭＥは、リソース情報を運ぶメッセージを、ＵＥに送信する（例えば、ＥＰＳベアラコンテキスト修正要求が、ＵＥに送信される）。
【００７１】
ステップ５０３：ＵＥは、リソース情報を運ぶベアラリソース修正要求メッセージを、ＭＭＥに送信し、ＭＭＥは、リソース情報を運ぶベアラリソース修正要求メッセージを、Ｓ−ＧＷに送信し、Ｓ−ＧＷは、リソース情報を運ぶベアラリソース修正要求メッセージを、Ｐ−ＧＷに送信する。
【００７２】
ステップ５０４〜５０８の実施プロセスは、ステップ４０４〜４０８の実施プロセスと同じである。
【００７３】
（３）ＭＭＥは、リソース情報を、ＧＴＰ−Ｃヘッダ内にカプセル化し、ベアラ修正プロセスを介して、ＧＴＰ−Ｃヘッダを、Ｓ−ＧＷに送信し、Ｓ−ＧＷは、ＧＴＰ−Ｃヘッダを、Ｐ−ＧＷに送信する。
【００７４】
ＧＴＰ−Ｃヘッダは、各データパケットのヘッダ内に含まれる。ＭＭＥ、Ｓ−ＧＷ、及びＰ−ＧＷの間で送信される、各データパケットは、ＧＴＰ−Ｃヘッダを運ぶ。ベアラ修正プロセスを介して、ＧＴＰ−Ｃヘッダを、Ｓ−ＧＷに送信することは、ベアラ修正プロセスにおいてＭＭＥとＳ−ＧＷとの間で送信されるシグナリングメッセージを介して、リソース情報を運ぶＧＴＰ−Ｃヘッダを、Ｓ−ＧＷに送信し（ここで、シグナリングメッセージは、データパケットの一タイプであり）、ベアラ修正プロセスにおいてＳ−ＧＷとＰ−ＧＷとの間で送信されるシグナリングメッセージを介して、リソース情報を運ぶＧＴＰ−Ｃヘッダを、Ｐ−ＧＷに送信することを含む。
【００７５】
図７は、本発明の第６の実施形態による、ＱｏＳを向上させる方法のシグナリング相互作用図であり、以下を含む。
【００７６】
ステップ６０１：ｅＮＢは、リソース情報を運ぶＯＶＥＲＬＯＡＤを、ＭＭＥに送信する。具体的には、ｅＮＢは、特定のベアラを選択し、そして、リソース情報を運び、かつ、特定のベアラに関連する、ＯＶＥＲＬＯＡＤを、ＭＭＥに送信してもよい。
【００７７】
ステップ６０２：ｅＮＢによって送信されたＯＶＥＲＬＯＡＤを受信した後、ＭＭＥは、リソース情報を、ＧＴＰ−Ｃヘッダ内にカプセル化する。
【００７８】
ステップ６０３：ＧＴＰ−Ｃヘッダは、ベアラ修正プロセスを介して、Ｓ−ＧＷに送信され、Ｓ−ＧＷは、ＧＴＰ−Ｃヘッダを、Ｐ−ＧＷに送信する。
【００７９】
ステップ６０４〜６０８の実施プロセスは、ステップ４０４〜４０８の実施プロセスと同じである。
【００８０】
ステップ６０２で、リソース情報を、ＧＴＰ−Ｃヘッダに搬入するやり方は、リソース情報を、ＧＴＰ−Ｃシグナリングメッセージの予備ビットに搬入することであってもよい。例えば、リソース情報は、ＧＴＰ−Ｃシグナリングメッセージの予備ビットに埋められてもよい。表２に、本発明の実施形態に関係するＧＴＰ−Ｃヘッダ構成を示し、ここで、ＧＴＰ−Ｃヘッダは、発展型パケットコア（ＥＰＣと略記される）のＧＴＰ−Ｃヘッダである。
【表２】
0005490887.tif 000003
【００８１】
第１の実施形態のステップ１０１において、リソース情報は、アクセスネットワーク内のｅＮＢによって、ＰＣＲＦエンティティに送信されてもよい。具体的には、ｅＮＢは、リソース情報を、ＧＴＰ−Ｕデータパケットの拡張ヘッダ内にカプセル化し、ＧＴＰ−Ｕトンネルを介して、リソース情報を、Ｐ−ＧＷに送信してもよく、Ｐ−ＧＷは、リソース情報を運ぶメッセージを、ＰＣＲＦエンティティに送信する。
【００８２】
図８は、本発明の第７の実施形態による、ＱｏＳを向上させる方法のシグナリング相互作用図であり、以下を含む。
【００８３】
ステップ７０１：ｅＮＢは、リソース情報を、ＧＴＰ−Ｕデータパケットの拡張ヘッダ内にカプセル化する。具体的には、ｅＮＢは、特定のベアラを選択し、リソース情報を、特定のベアラに関連するＧＴＰ−Ｕパケットの拡張ヘッダ内にカプセル化してもよい。
【００８４】
ステップ７０２：ｅＮＢは、リソース情報を運ぶＧＴＰ−Ｕ拡張ヘッダを、ＧＴＰ−Ｕトンネルを介して、Ｐ−ＧＷに送信する。ステップ７０３〜７０７の実施プロセスは、ステップ４０４〜４０８の実施プロセスと同じである。
【００８５】
表３に、本発明の実施形態に関係するＧＴＰ−Ｕヘッダの概略構成図を示す。
【表３】
0005490887.tif 000004
【００８６】
リソース情報は、表３に示すＧＴＰ−Ｕ拡張ヘッダ内に含まれてもよく、表３のオクテット１２において示されるＧＴＰ−Ｕ拡張ヘッダで、次の拡張ヘッダが拡張されてもよい。次の拡張ヘッダは、表４に示す通りである。表３に示すＧＴＰ−Ｕ拡張ヘッダのオクテット１２から拡張される拡張ヘッダの構成を、表４に示す。最初に、次の拡張ヘッダ内の、拡張ヘッダフラグが、１に設定される。すなわち、オクテット１内の第３ビットが、１に設定される。次に、リソース情報が、オクテットｍ＋１内で運ばれ、ここで、ｍは、自然数である。
【表４】
0005490887.tif 000005
【００８７】
第１の実施形態のステップ１０１において、リソース情報は、アクセスネットワーク内のｅＮＢによって、ＰＣＲＦエンティティに送信されてもよい。具体的には、ｅＮＢは、リソース情報を運ぶことが可能なユーザプレーン用ＧＰＲＳトンネリングプロトコル（ＧＴＰ−Ｕと略記される）メッセージ内に、リソース情報をカプセル化してもよい。そして、リソース情報を運ぶことが可能なＧＴＰ−Ｕメッセージを、ＧＴＰ−Ｕトンネルを介して、Ｐ−ＧＷに送信する。Ｐ−ＧＷは、リソース情報を運ぶメッセージを、ＰＣＲＦエンティティに送信する。表５に、本発明の実施形態に関係するＧＴＰ−Ｕメッセージのタイプを示す。
【表５】
0005490887.tif 000006
【００８８】
表５において、メッセージタイプ値２５３のｅＮＢ負荷報告メッセージは、リソース情報を運ぶことが可能なＧＴＰ−Ｕメッセージであってもよい。もちろん、リソース情報を運ぶことが可能な、新たに追加されるＧＴＰ−Ｕメッセージのメッセージタイプ値は、代わりに、他の値であってもよく、リソース情報を運ぶことが可能な、新たに追加されるＧＴＰ−Ｕメッセージの名前は、代わりに、ｅＮＢ負荷報告メッセージに限定されない、他の名前であってもよい。
【００８９】
図９は、本発明の第８の実施形態による、ＱｏＳを向上させる方法のシグナリング相互作用図であり、以下を含む。
【００９０】
ステップ８０１：ｅＮＢは、リソース情報を、新たに追加されたＧＴＰ−Ｕメッセージに搬入する。具体的には、ｅＮＢは、特定のベアラを選択し、特定のベアラに関連する、新たに追加されたＧＴＰ−Ｕメッセージ内に、リソース情報をカプセル化する。
【００９１】
ステップ８０２：ｅＮＢは、リソース情報を運ぶ、新たに追加されたＧＴＰ−Ｕメッセージを、ＧＴＰ−Ｕトンネルを介して、Ｐ−ＧＷに送信する。
【００９２】
ステップ８０３〜８０７の実施プロセスは、ステップ４０４〜４０８の実施プロセスと同じである。
【００９３】
第１の実施形態のステップ１０１において、リソース情報は、アクセスネットワーク内のｅＮＢによって、ＰＣＲＦエンティティに送信されてもよい。具体的には、ｅＮＢは、リソース情報を運ぶＲＲＣメッセージを、ＵＥに送信し、ＵＥは、リソース情報を運ぶベアラリソース修正要求メッセージを、Ｐ−ＧＷに送信し、Ｐ−ＧＷは、リソース情報を運ぶメッセージを、ＰＣＲＦエンティティに送信する。
【００９４】
図１０は、本発明の第９の実施形態による、ＱｏＳを向上させる方法のシグナリング相互作用図であり、以下を含む。
【００９５】
ステップ９０１：ｅＮＢは、リソース情報を運ぶＲＲＣメッセージを、ＵＥに送信する。具体的には、ｅＮＢは、特定のベアラを選択してもよく、そして、リソース情報を運ぶ、かつ、特定のベアラに関連する、ＲＲＣメッセージを、ＵＥに送信する。
【００９６】
ステップ９０２：ｅＮＢによって送信されたＲＲＣメッセージを受信した後、ＵＥは、リソース情報を運ぶベアラリソース修正要求メッセージを、ＭＭＥに送信し、ＭＭＥは、運ぶベアラリソース修正要求メッセージを、Ｓ−ＧＷに送信し、Ｓ−ＧＷは、運ぶベアラリソース修正要求メッセージを、Ｐ−ＧＷに送信する。ｅＮＢからＲＲＣメッセージを受信した後、ＵＥは、更に、特定のベアラを選択してもよい。例えば、ＵＥは、保証ビットレートを保証するベアラを選択してもよく、そして、リソース情報を運ぶ、かつ、選択されたベアラに関連する、ベアラリソース修正要求メッセージを、ＭＭＥに送信する。
【００９７】
ステップ９０３：Ｐ−ＧＷは、リソース情報を運ぶＩＰ−ＣＡＮセッション修正メッセージを、ＰＣＲＦエンティティに送信する。
【００９８】
ステップ９０３〜９０７の実施プロセスは、ステップ４０４〜４０８の実施プロセスと同じである。
【００９９】
図３〜図１０に示す実施形態において、ｅＮＢがリソース情報を送信する場合、ｅＮＢは、特定のベアラを選択してもよく、そして、特定のベアラに関連するメッセージ内で運ばれるリソース情報を、ＭＭＥ、Ｓ−ＧＷ、ＵＥ、又はＰ−ＧＷに送信する。
【０１００】
図３、及び図４に示す実施形態において、ｅＮＢは、リソース情報を、ＰＣＣアーキテクチャ内のＰＣＲＦエンティティを通過せずに、Ｐ−ＣＳＣＦエンティティに送信する。図５、図６、図７、図８、図９、及び図１０に示す実施形態において、ｅＮＢは、リソース情報を、ＰＣＣアーキテクチャ内のＰＣＲＦエンティティを通過して、Ｐ−ＣＳＣＦに送信する。
【０１０１】
本発明の前述の実施形態において、本発明の実施方策について、ｅＮＢがリソース情報を送信することを例として使用して説明した。リソース情報は、アクセスネットワーク内の他のネットワーク要素によって送信されてもよく、例えば、リソース情報は、ＵＴＲＡＮ、又はＧＥＲＡＮ内のネットワーク要素によって送信されてもよく、又は、リソース情報は、ＷｉＭＡＸネットワーク内のネットワーク要素によって送信されてもよく、又は、リソース情報は、（ＳＧＷ、又はＰＧＷなどの）他のネットワーク要素によって送信されてもよい。
【０１０２】
具体的なプロセスは、前述の実施形態におけるプロセスと同様である。例えば、ＵＴＲＡＮは、リソース情報を運ぶＯＶＥＲＬＯＡＤを、ＳＧＳＮに送信し、ＳＧＳＮは、リソース情報を、ＳＧＷに送信し、ＳＧＷは、リソース情報を、Ｐ−ＧＷに送信し、Ｐ−ＧＷは、リソース情報を、ＰＣＲＦエンティティに送信し、ＰＣＲＦエンティティは、リソース情報を、Ｐ−ＣＳＣＦエンティティに送信し、Ｐ−ＣＳＣＦエンティティは、サービスパラメータを、ＵＥと再ネゴシエートし、又は、Ｐ−ＣＳＣＦエンティティは、リソース情報に従って、現在のサービスに関連するサービス要求を調節し、調節されたサービス要求を、アクセスネットワーク内のＰ−ＧＷに送信する。
【０１０３】
更に、例えば、ＳＧＷは、リソース情報を、Ｐ−ＧＷに送信し、Ｐ−ＧＷは、リソース情報を、ＰＣＲＦエンティティに送信し、ＰＣＲＦエンティティは、リソース情報を、Ｐ−ＣＳＣＦエンティティに送信し、Ｐ−ＣＳＣＦエンティティは、サービスパラメータを、ＵＥと再ネゴシエートし、又は、Ｐ−ＣＳＣＦエンティティは、リソース情報に従って、現在のサービスに関連するサービス要求を調節し、調節されたサービス要求を、アクセスネットワーク内のＰ−ＧＷに送信する。
【０１０４】
アプリケーションネットワークは、Ｇｏｏｇｌｅサーバなどの、他のＩＰアプリケーションネットワークであってもよい。
【０１０５】
図１１は、本発明の一実施形態による、ＱｏＳを向上させるシステムの概略構成図である。このシステムは、アクセスネットワーク１００と、アプリケーションネットワーク２００とを含む。アクセスネットワーク１００は、アクセスネットワーク１００のリソースが変化した場合に、リソース情報を送信するように構成され、ここで、リソース情報は、アクセスネットワーク１００の現在のリソースステータスを示す情報である。アプリケーションネットワーク２００は、リソース情報を受信し、リソース情報に従って、現在のサービスに関連するサービス要求を調節し、調節されたサービス要求を、アクセスネットワーク１００に送信するように、又は、リソース情報に従って、現在のサービスに関連するサービスパラメータを、ＵＥとネゴシエートし、これにより、ＵＥが、ネゴシエーションの結果に従って、現在のサービスに関連するサービスパラメータを修正するように構成される。
【０１０６】
アプリケーションネットワーク２００は、Ｐ−ＣＳＣＦエンティティを含む、ＩＭＳであってもよく、アクセスネットワーク１００は、ｅＮＢを含み、ここで、ｅＮＢは、リソース情報を、Ｐ−ＣＳＣＦエンティティに送信するように構成される。具体的には、ｅＮＢは、リソース情報を、ＵＥを介して、Ｐ−ＣＳＣＦエンティティに送信するように構成されてもよい。
【０１０７】
図１１に示すシステムは、アプリケーションネットワーク２００、及びアクセスネットワーク１００のそれぞれに接続された、ＰＣＲＦエンティティを更に含んでもよく、アプリケーションネットワークは、ＩＭＳであり、ここで、ＩＭＳは、Ｐ−ＣＳＣＦエンティティを含み、アクセスネットワークは、ｅＮＢを含む。ｅＮＢは、リソース情報を、ＰＣＲＦエンティティに送信するように特に構成されてもよく、ＰＣＲＦエンティティは、リソース情報を、Ｐ−ＣＳＣＦエンティティに送信するように特に構成される。
【０１０８】
ＰＣＲＦエンティティは、Ｐ−ＣＳＣＦエンティティによって送信されたサービス要求に従って、ＰＣＣルールを生成し、ＰＣＣルールを、アクセスネットワーク内のＰ−ＧＷに送信するように更に構成されてもよい。
【０１０９】
図１２は、本発明の一実施形態によるアプリケーションネットワーク要素の概略構成図である。ネットワーク要素は、受信ユニット３００と、処理ユニット４００とを含み、ここで、受信ユニット３００は、処理ユニット４００に接続される。受信ユニット３００は、アクセスネットワークによって送信されたリソース情報を受信するように構成され、処理ユニット４００は、受信ユニット３００に接続され、そして、受信ユニット３００によって受信されたリソース情報に従って、現在のサービスに関連するサービス要求を調節し、調節されたサービス要求を、アクセスネットワークに送信するように構成される、又は、受信ユニット３００によって受信されたリソース情報に従って、現在のサービスに関連するサービスパラメータについて、ＵＥとネゴシエートするように（これにより、ＵＥが、ネゴシエーションの結果に従って、現在のサービスに関連するサービスパラメータを修正するように）構成される。
【０１１０】
当業者は、実施形態の方法におけるステップの全て又は一部が、ハードウェアによって、プログラムの命令の下で実施されてもよい、ということを理解するであろう。プログラムは、コンピュータ読み取り可能な記憶媒体内に記憶されてもよく、プログラムが実行された場合、実施形態の方法におけるステップが実行される。記憶媒体は、ＲＯＭ、ＲＡＭ、磁気ディスク、又はコンパクトディスク読み取り専用メモリなどの、プログラムコードを記憶することが可能な任意の媒体であってもよい。
【０１１１】
最後に、実施形態は、本発明の技術的解決法を説明するために提供されたにすぎず、本発明を限定することを意図するものではない、ということに留意されたい。本発明について、例示的実施形態を参照して詳細に説明してきたが、修正又は均等な置換が、本発明の技術的解決法に対して行われてもよく、そのような修正又は均等な置換は、修正された技術的解決法を、本発明の範囲から逸脱させるものではないということが、当業者によって理解されるであろう。
【図１】
0005490887.tif 000007
【図２】
0005490887.tif 000008
【図３】
0005490887.tif 000009
【図４】
0005490887.tif 000010
【図５】
0005490887.tif 000011
【図６】
0005490887.tif 000012
【図７】
0005490887.tif 000013
【図８】
0005490887.tif 000014
【図９】
0005490887.tif 000015
【図１０】
0005490887.tif 000016
【図１１】
0005490887.tif 000017
【図１２】
0005490887.tif 000018